(57)【要約】【課題】  セキュリティ性を保ちつつ、利便性の高いネットワークへの参加を可能とする。【解決手段】  第１の通信を介して外部装置と識別情報を共有し、他の装置によって生成される第２の通信を利用したネットワークに参加し、参加したネットワーク内の機器から前記識別情報を含む信号を受信したか否かに基づき、別のネットワークに参加するよう制御するか否かを切り替える。【選択図】  図３
2015170922.tif 000002
【特許請求の範囲】
【請求項１】
外部装置と第１の通信方式の通信を介して前記外部装置が参加しているネットワークのアクセスポイントに参加するための情報を含まない識別情報を共有する共有手段と、
他の装置によって生成される、前記第１の通信方式とは異なる第２の通信方式を利用したネットワークに参加する参加手段と、前記参加手段により参加したネットワーク内をサーチして前記識別情報を含む信号を受信したか否かを判断する判断手段と、
前記判断手段の結果に基づき、前記参加手段により別のネットワークに参加するよう制御するか否かを切り替える制御手段とを有する通信装置。
【請求項２】
前記判断手段により、前記識別情報を含む信号が受信されなかったと判断された場合、前記制御手段は、参加中のネットワークから離脱して別のネットワークに参加するよう制御することを特徴とする請求項１に記載の通信装置。
【請求項３】
前記制御手段は、前記参加手段によりネットワークに参加する際に、過去に参加したことのあるネットワークに優先して参加するよう制御することを特徴とする請求項１または２に記載の通信装置。
【請求項４】
前記共有手段は、前記識別情報に加えて、信号の強度に関する情報も共有し、
前記参加手段は、前記他の装置のビーコンを検出することにより前記ネットワークに参加し、
前記制御手段は、前記参加手段によりネットワークに参加する際に、前記共有手段によって共有された信号の強度により近い強度のビーコンを発信する装置のネットワークに優先して参加するよう制御することを特徴とする請求項１乃至３のいずれか１項に記載の通信装置。
【請求項５】
前記識別情報は、前記外部装置の識別情報であり、
前記共有手段は、前記第１の通信方式の通信を介して、前記外部装置の識別情報を前記外部装置から受信することにより、前記識別情報を前記外部装置と共有することを特徴とする請求項１乃至４のいずれか１項に記載の通信装置。
【請求項６】
前記参加手段により前記第２の通信方式を利用したネットワークに参加したことに応じて、前記ネットワーク内の機器を探索するための探索信号を送信する送信手段と、
前記送信手段による探索信号に対する応答信号を受信する受信手段とを更に有し、
前記判断手段は、前記受信手段により前記識別情報を含む応答信号が受信されたか否かを判断することを特徴とする請求項５に記載の通信装置。
【請求項７】
前記識別情報は、前記通信装置の識別情報であり、
前記共有手段は、前記第１の通信方式の通信を介して、前記通信装置の識別情報を前記外部装置に送信することにより、前記識別情報を前記外部装置と共有することを特徴とする請求項１乃至４のいずれか１項に記載の通信装置。
【請求項８】
前記参加手段により参加したネットワーク内の機器から探索信号を受信する受信手段と、
前記受信手段により受信された探索信号に対する応答信号を、前記探索信号の送信元の機器に送信する送信手段とを更に有し、
前記判断手段は、前記受信手段により前記識別情報を含む探索信号が受信されたか否かを判断することを特徴とする請求項７に記載の通信装置。
【請求項９】
外部装置と、第１の通信方式の通信を介して前記外部装置が参加しているネットワークのアクセスポイントに参加するための情報を含まない識別情報を共有する共有ステップと、
他の装置によって生成される、前記第１の通信方式とは異なる第２の通信方式を利用したネットワークに参加する参加ステップと、
前記参加ステップで参加したネットワーク内をサーチして前記識別情報を含む信号を受信したか否かを判断する判断ステップと、
前記判断ステップの結果に基づき、前記参加ステップを再び実行して、別のネットワークに参加するよう制御するか否かを切り替える制御ステップとを有する通信装置の制御方法。
【請求項１０】
コンピュータに、請求項９に記載の制御方法を実行させるための、コンピュータが読み取り可能なプログラム。
【発明の詳細な説明】
【技術分野】
【０００１】
本発明は、近接無線通信機能を有する通信装置に関する。
【背景技術】
【０００２】
近年、スマートフォンやタブレット、デジタルカメラといった複数のモバイル機器間で、無線ＬＡＮを利用して通信が行われている。このように複数の機器で無線通信を行う場合、複数のクライアント（ＣＬ）の通信を一台のアクセスポイント（ＡＰ）が中継するインフラストラクチャモードによる通信が一般的である。インフラストラクチャモードの設定を行う場合、ユーザはＡＰ機器が生成したネットワークのＳＳＩＤ（Ｓｅｒｖｉｃｅ  Ｓｅｔ  Ｉｄｅｎｔｉｆｉｅｒ）およびパスワード（以下、ＡＰ情報）をＣＬ機器に入力する必要があり、手間がかかるという課題があった。
【０００３】
これに対し、例えば特許文献１では、既に無線ネットワークに参加済みの複数の機器のうちの一つから、近接無線通信を介して、無線ネットワークに参加するための情報を取得する手法が開示されている。これにより、無線ネットワークに参加するための様々なパラメータをユーザが入力する手間を省き、利便性の高い無線ネットワークへの参加方法をユーザに提供することができる。
【先行技術文献】
【特許文献】
【０００４】
【特許文献１】特開２００９−２３９５７３
【発明の概要】
【発明が解決しようとする課題】
【０００５】
しかしながら、上記の特許文献１ではＣＬ機器は近接無線通信によって自機以外の機器のＡＰ情報を送信する必要があり、セキュリティ上好ましくなかった。一方、ＡＰ情報はＡＰ機器からのみ取得可能なようにすると、セキュリティ性は保たれるものの、ネットワークに参加するためにはＡＰ機器に近づけなければならない。そのため、ユーザはどの機器がＡＰ機器か意識する必要があり、利便性が損なわれてしまう。そこで、本願発明は、セキュリティ性を保ちつつ、利便性の高いネットワークへの参加を可能とすることを目的とする。
【課題を解決するための手段】
【０００６】
上記目的を達成するため、本願発明の通信装置は、外部装置と第１の通信を介して識別情報を共有する共有手段と、他の装置によって生成される、前記第１の通信とは異なる第２の通信を利用したネットワークに参加する参加手段と、前記参加手段により参加したネットワーク内の機器から前記識別情報を含む信号を受信したか否かを判断する判断手段と、前記判断手段の結果に基づき、前記参加手段により別のネットワークに参加するよう制御するか否かを切り替える制御手段とを有する。
【発明の効果】
【０００７】
本願発明によれば、セキュリティ性を保ちつつ、利便性の高いネットワークへの参加が可能となる。
【図面の簡単な説明】
【０００８】
【図１】（ａ）第１の実施形態におけるデジタルカメラのブロック図。（ｂ）、（ｃ）、（ｄ）第１の実施形態におけるデジタルカメラの外観の一例を示す図。
【図２】（ａ）第１の実施形態における携帯電話のブロック図。（ｂ）、（ｃ）、（ｄ）第１の実施形態における携帯電話の外観の一例を示す図。
【図３】（ａ）、（ｂ）、（ｃ）、（ｄ）第１の実施形態におけるデジタルカメラおよび携帯電話が参加するネットワークの態様を説明するための図。（ｅ）第１の実施形態におけるネットワークの情報の一覧を示す図。
【図４】（ａ）、（ｂ）第１の実施形態におけるデジタルカメラの接続履歴の情報の概念図。
【図５】第１の実施形態におけるデジタルカメラの動作を示すフローチャート。
【図６】第１の実施形態におけるデジタルカメラが収集したアクセスポイントの情報の一覧図。
【図７】第１の実施形態における携帯電話の動作を示すフローチャート。
【図８】第２の実施形態におけるデジタルカメラの動作を示すフローチャート。
【図９】第２の実施形態における携帯電話の動作を示すフローチャート。
【発明を実施するための形態】
【０００９】
以下に、本発明を実施するための形態について、添付の図面を用いて詳細に説明する。
【００１０】
なお、以下に説明する実施の形態は、本発明の実現手段としての一例であり、本発明が適用される装置の構成や各種条件によって適宜修正又は変更されてもよい。また、各実施の形態を適宜組み合せることも可能である。
【００１１】
［第１の実施形態］
＜デジタルカメラの構成＞
図１（ａ）は、本実施形態の通信装置の一例であるデジタルカメラ１００の構成例を示すブロック図である。なお、ここでは通信装置の一例としてデジタルカメラについて述べるが、通信装置はこれに限られない。例えば通信装置は携帯型のメディアプレーヤやいわゆるタブレットデバイス、パーソナルコンピュータなどの情報処理装置であってもよい。
【００１２】
制御部１０１は、入力された信号や、後述のプログラムに従ってデジタルカメラ１００の各部を制御する。なお、制御部１０１が装置全体を制御する代わりに、複数のハードウェアが処理を分担することで、装置全体を制御してもよい。
【００１３】
メモリ１０２は書き換え可能な記録媒体であり、データを一時的に保持するバッファメモリや、表示部１０５の画像表示用メモリ、制御部１０１の作業領域等として使用される。
【００１４】
メモリ１０２は、例えばＲＡＭ（半導体素子を利用した揮発性のメモリ）などからなる。
【００１５】
不揮発性メモリ１０３は、電気的に消去・記録可能な不揮発性のメモリであり、制御部１０１で実行される後述のプログラム等が格納される。不揮発性メモリ１０３は、例えばフラッシュメモリやＥＥＰＲＯＭなどからなる。
【００１６】
操作部１０４は、ユーザがデジタルカメラ１００に対する指示をユーザから受け付けるために用いられる。操作部１０４は例えば、ユーザがデジタルカメラ１００の電源のＯＮ／ＯＦＦを指示するための電源ボタンや、撮像を指示するためのレリーズスイッチ、画像データの再生を指示するための再生ボタンを含む。さらに、後述の無線ＬＡＮ接続部１１２を介して外部機器との通信を開始するための専用の接続ボタンなどの操作部材を含む。また、後述する表示部１０５に形成されるタッチパネルも操作部１０４に含まれる。なお、不図示のレリーズスイッチは、ＳＷ１およびＳＷ２を有する。レリーズスイッチが、いわゆる半押し状態となることにより、ＳＷ１がＯＮとなる。これにより、ＡＦ（オートフォーカス）処理、ＡＥ（自動露出）処理、ＡＷＢ（オートホワイトバランス）処理、ＥＦ（フラッシュプリ発光）処理等の、静止画撮像準備を行うための指示を受け付ける。また、レリーズスイッチが、いわゆる全押し状態となることにより、ＳＷ２がＯＮとなる。これにより、静止画撮像を行う指示を受け付ける。
【００１７】
表示部１０５は、静止画撮像準備段階でのビューファインダーへの動画像の表示、撮像した静止画画像データの表示、対話的な操作のための文字表示などを行う。なお、表示部１０５は必ずしもデジタルカメラ１００が内蔵する必要はない。デジタルカメラ１００はカメラの背面等に設けた表示部１０５だけでなくカメラの外部の表示部１０５と接続することができ、表示部１０５の表示を制御する表示制御機能を少なくとも有していればよい。
【００１８】
記録媒体Ｉ／Ｆ１０６は、メモリカードなどの記録媒体１０７を装着するためのインターフェースである。制御部１０１の制御に基づき、記録媒体Ｉ／Ｆ１０６に装着された記録媒体１０７からのデータの読み出しや、記録媒体１０７に対するデータの書き込みを行う。
【００１９】
記録媒体１０７は、撮像した画像データを保持するための書き換え可能な不揮発性メモリである。例えば、記録媒体１０７としては、ＳＤメモリカードやコンパクトフラッシュ（登録商標）カードを用いることができる。
【００２０】
撮像部１０８は、例えば、光学レンズユニットと絞り・ズーム・フォーカスなど制御する光学系と、光学レンズユニットを経て導入された光（映像）を電気的な映像信号に変換するための撮像素子などで構成される。撮像素子としては、一般的には、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）や、ＣＣＤ（Ｃｈａｒｇｅ  Ｃｏｕｐｌｅｄ  Ｄｅｖｉｃｅ  Ｉｍａｇｅ  Ｓｅｎｓｏｒ）が利用される。撮像部１０８は、制御部１０１に制御されることにより、撮像部１０８に含まれるレンズで結像された被写体光を、撮像素子により電気信号に変換し、ノイズ低減処理などを行いデジタルデータを画像データとしてバス１１３に出力する。
【００２１】
画像処理部１０９は、制御部１０１の制御に基づいて、不揮発性メモリ１０３や記録媒体１０７に格納された画像データや、撮像部１０８が出力する映像信号に対して各種画像処理を施す。画像処理部１０９が行う画像処理には、Ａ／Ｄ変換処理、Ｄ／Ａ変換処理、画像データの符号化処理、圧縮処理、デコード処理、拡大／縮小処理（リサイズ）、ノイズ低減処理、色変換処理、顔検出処理などが含まれる。画像処理部１０９は特定の画像処理を施すための専用の回路ブロックで構成してもよい。また、画像処理の種別によっては画像処理部１０９を用いずに制御部１０１がプログラムに従って画像処理を施すことも可能である。なお、本実施形態のデジタルカメラ１００では、画像データは、ＤＣＦ（Ｄｅｓｉｇｎ  ｒｕｌｅ  ｆｏｒ  Ｃａｍｅｒａ  Ｆｉｌｅ  ｓｙｓｔｅｍ）の規格に従って、記録媒体１０７に記録される。
【００２２】
バッテリ１１０は、デジタルカメラ１００が動作するための電力を各部に供給するためのユニットである。バッテリ１１０は、充電可能な二次電池からなるユニットで、図示しない外部のバッテリ充電器により充電することができる。
【００２３】
近接無線通信部１１１は、他機との非接触近接通信を実現するための通信ユニットである。近接無線通信部１１１は、無線通信のためのアンテナと無線信号を処理するため変復調回路や通信コントローラから構成される。近接無線通信部１１１は、変調した無線信号をアンテナから出力し、またアンテナで受信した無線信号を復調することにより非接触近接通信を実現する。ここでは、ＩＳＯ／ＩＥＣ  １８０９２の規格（いわゆるＮＦＣ：Ｎｅａｒ  Ｆｉｅｌｄ  Ｃｏｍｍｕｎｉｃａｔｉｏｎ）に従った非接触通信を実現する。近接無線通信部１１１は、他のデバイスからデータ読み出し要求を受けると、不揮発性メモリ１０３に格納されているデータに基づき、応答データを出力する。本実施形態では、近接無線通信部１１１は、後述の携帯電話２００の近接無線通信部２０８と近接・離反した際に、携帯電話２００の近接・離反の検出、携帯電話２００からの信号強度情報の受信などに利用される。
【００２４】
本実施形態における近接無線通信の実現においては、各機器の互いの近接無線通信部同士を近接させることにより通信を開始して接続される。なお、この近接無線通信を実現するためには、必ずしも近接無線通信部同士を接触させる必要はない。近接無線通信部は一定の距離だけ離れていても、通信することができるため、ここでは近接無線通信可能な範囲まで近づければよい。以下の説明では、この近接無線通信可能な範囲まで近づけることを「近接させる」と記載する。
【００２５】
また、互いの近接無線通信部が近接無線通信不可能な範囲にあれば、通信は開始されない。また、互いの近接無線通信部が近接無線通信可能な範囲にあって、機器同士が通信接続されている際に、互いの近接無線通信部が近接無線通信不可能な範囲に離れてしまった場合は、通信接続が解除される。なお、近接無線通信部１１１が実現する非接触近接通信はＮＦＣに限られるものではなく、他の無線通信を採用してもよい。例えば、近接無線通信部１１１が実現する非接触近接通信として、ＩＳＯ／ＩＥＣ  １４４４３の規格に従った非接触近接通信を採用してもよい。
【００２６】
無線ＬＡＮ接続部１１２は、外部装置と接続するためのインターフェースである。本実施形態のデジタルカメラ１００は、無線ＬＡＮ接続部１１２を介して、外部装置とデータのやりとりを行うことができる。なお、本実施形態では、無線ＬＡＮ接続部１１２は外部装置とＩＥＥＥ８０２．１１の規格に従った、いわゆる無線ＬＡＮで通信するためのインターフェースである。制御部１０１は、無線ＬＡＮ接続部１１２を制御することで外部装置との無線通信を実現する。なお、通信方式は無線ＬＡＮに限定されるものではないが、少なくとも通信可能な距離が、近接無線通信部１１１よりも長い通信方式が採用されるものとする。
【００２７】
システムバス１１３は、デジタルカメラ１００の各部を繋ぐバスである。システムバス１１３に接続される各部は、システムバス１１３を介して互いにデータのやりとりを行うことができる。
【００２８】
続いて、デジタルカメラ１００の外観について説明する。
【００２９】
図１（ｂ）、（ｃ）、（ｄ）は、それぞれデジタルカメラ１００の正面図・背面図・底面図である。
【００３０】
図１（ｂ）のレリーズスイッチ１０４１は図１（ａ）の操作部１０４に含まれる操作部材である。撮像撮像なお、本実施形態では、動画データの撮像時にレリーズスイッチ１０４１を全押しすると、動画データの撮像を終了する。
【００３１】
図１（ｂ）のファインダー窓１０８２は、撮像時の構図決定の際に被写体像を後述のファインダー接眼部１０８４から確認することができる。
【００３２】
図１（ｂ）のストロボ１０８３は、撮像時に必要に応じて発光する。
【００３３】
図１（ｂ）の撮像レンズ１０８１は、撮像部１０８に含まれる撮像部材である。
【００３４】
図１（ｃ）のファインダー接眼部１０８４は、ユーザが被写体像を光学的に確認するための覗き窓である。
【００３５】
図１（ｃ）の電源ボタン１０４２は、デジタルカメラ１００の電源をＯＮ・ＯＦＦするためのボタンである。
【００３６】
図１（ｃ）の操作部材群１０４３は操作部１０４を構成するボタン群である。ユーザはこれらのボタンを利用し、デジタルカメラ１００のメニューを表示したり、各種パラメータを設定したりすることができる。
【００３７】
図１（ｃ）の表示部１０５は、撮像開始前には撮像範囲（構図の決定）に使用したり、操作メニューを表示したり、撮像した映像データを再生して表示するためのＬＣＤである。なお、本部材には図１（ａ）と同様の番号を付している。
【００３８】
領域１１１１は近接無線通信を行うためのエリアである。すなわち、この部分に近接無線通信部１１１のアンテナが配置されている。携帯電話２００の近接無縁通信部２０８のアンテナがこのエリアに接近すると、近接無線通信部１１１と近接無線通信部２０８の間で通信が可能となる。
【００３９】
ねじ穴１１０２は三脚を固定するためのねじ穴である。
【００４０】
バッテリ室１１０１はバッテリを格納するための領域である。ユーザはこの中にバッテリ１１０と記録媒体１０７を装着することができる。
【００４１】
以上がデジタルカメラ１００の説明である。
【００４２】
＜携帯電話の構成＞
次に、携帯電話２００について説明する。
【００４３】
図２（ａ）は、本実施形態の情報処理装置の一例である携帯電話２００の構成例を示すブロック図である。なお、ここでは情報処理装置の一例としてスマートフォンについて述べるが、情報処理装置はこれに限られない。例えば情報処理装置は携帯型のメディアプレーヤやいわゆるタブレットデバイス、パーソナルコンピュータなどであってもよい。また、通信機能を備えたデジタルカメラ１００のような撮像装置であってもよい。
【００４４】
制御部２０１は、入力された信号や、後述のプログラムに従って携帯電話２００の各部を制御する。なお、制御部２０１が装置全体を制御する代わりに、複数のハードウェアが処理を分担することで、装置全体を制御してもよい。
【００４５】
メモリ２０２は書き換え可能な記録媒体であり、データを一時的に保持するバッファメモリや、表示部２０４の画像表示用メモリ、制御部２０１の作業領域等として使用される。
【００４６】
メモリ２０２は、例えばＲＡＭ（半導体素子を利用した揮発性のメモリ）などからなる。
【００４７】
不揮発性メモリ２０３は、電気的に消去・記録可能な不揮発性のメモリであり、制御部２０１で実行される後述のプログラム等が格納される。不揮発性メモリ１０３は、例えばフラッシュメモリやＥＥＰＲＯＭなどからなる。
【００４８】
表示部２０４は、撮像の際のビューファインダー画像の表示、撮像した画像データの表示、対話的な操作のための文字表示などを行う。なお、表示部２０４は必ずしも携帯電話２００が内蔵する必要はない。携帯電話２００は携帯電話２００の背面等に設けた表示部２０４だけでなく携帯電話２００の外部の表示部２０４と接続することができ、表示部２０４の表示を制御する表示制御機能を少なくとも有していればよい。
【００４９】
操作部２０５は、ユーザが携帯電話２００に対する指示をユーザから受け付けるために用いられる。操作部２０５は例えば、ユーザが携帯電話２００の電源のＯＮ／ＯＦＦを指示するための電源ボタンや、撮像を指示するためのレリーズスイッチ、画像データの再生を指示するための再生ボタンを含む。さらに、後述の無線ＬＡＮ接続部２１２を介して外部機器との通信を開始するための専用の接続ボタンなどの操作部材を含む。また、表示部２０４に形成されるタッチパネルも操作部２０５に含まれる。
【００５０】
バッテリ２０６は、携帯電話２００が動作するための電力を各部に供給するためのユニットである。バッテリ２０６は、充電可能な二次電池からなるユニットで、図示しない外部のバッテリ充電器により充電することができる。
【００５１】
近接無線通信部２０８は、他機との非接触近接通信を実現するための通信ユニットである。近接無線通信部２０８は、無線通信のためのアンテナと無線信号を処理するため変復調回路や通信コントローラから構成される。近接無線通信部２０８は、変調した無線信号をアンテナから出力し、またアンテナで受信した無線信号を復調することにより非接触近接通信を実現する。ここでは、ＩＳＯ／ＩＥＣ  １８０９２の規格に従った非接触通信を実現する。近接無線通信部１１１は、他のデバイスからデータ読み出し要求を受けると、不揮発性メモリ２０３に格納されているデータに基づき、応答データを出力する。本実施形態では、近接無線通信部２０８は、前述のデジタルカメラ１００の近接無線通信部１１１と近接・離反した際に、デジタルカメラ１００の近接・離反の検出、携帯電話２００からの信号強度情報の受信などに利用される。なお、近接無線通信部２０８が実現する非接触近接通信はＮＦＣに限られるものではなく、他の無線通信を採用してもよい。例えば、近接無線通信部２０８が実現する非接触近接通信として、ＩＳＯ／ＩＥＣ  １４４４３の規格に従った非接触近接通信を採用してもよい。
【００５２】
無線ＬＡＮ接続部２０９は、外部装置と接続するためのインターフェースである。本実施形態のデジタルカメラ１００は、無線ＬＡＮ接続部２０９を介して、外部装置とデータのやりとりを行うことができる。なお、本実施形態では、無線ＬＡＮ接続部２０９は外部装置とＩＥＥＥ８０２．１１の規格に従った、いわゆる無線ＬＡＮで通信するためのインターフェースである。制御部１０１は、無線ＬＡＮ接続部２０９を制御することで外部装置との無線通信を実現する。なお、通信方式は無線ＬＡＮに限定されるものではないが、少なくとも通信可能な距離が、近接無線通信部２０８よりも長い通信方式が採用されるものとする。
【００５３】
３Ｇ通信部２０７は、本携帯電話と図示しない移動体通信網との間の音声通信およびデータ通信を実現するためのユニットである。３Ｇ通信部２０７は、無線通信を行うためのアンテナと無線信号を処理するための通信コントローラから構成され、例えばＷ‐ＣＤＭＡ（ＵＭＴＳ）にしたがって無線通信を実現する。
【００５４】
システムバス２１０は、携帯電話２００の各部を繋ぐバスである。システムバス２１０に接続される各部は、システムバス２１０を介して互いにデータのやりとりを行うことができる。
【００５５】
続いて、携帯電話２００の外観について説明する。
【００５６】
図２（ｂ）、（ｃ）、（ｄ）は、それぞれ携帯電話２００の正面図・背面図・底面図である。
【００５７】
タッチパネル付液晶ディスプレイ２０４は表示部２０４の一例である。なおここでは図１と同様の部材として同じ番号を付している。タッチパネル部は操作部２０５を、液晶ディスプレイ部は表示部２０４を構成する。ユーザはタッチパネル部を使用することで、タッチパネル付液晶ディスプレイ２０４に表示されるＧＵＩの操作などを行うことができる。
【００５８】
操作ボタン２０５１は、操作部２０５を構成する。ユーザはこれらのボタンを用いることにより、携帯電話２００の機能の切り替えや、表示部２０４に表示されるＧＵＩの操作などを行うことができる。
【００５９】
ボリュームボタン２５０３は、操作部２０５を構成する。ユーザはこれらのボタンを用いることにより、音声通信時や、記録されている音声データ、音楽データ、動画データなどを再生する際の音量を制御することができる。
【００６０】
電源ボタン２５０２は、操作部２０５を構成する。ユーザはこのボタンを用いることにより、携帯電話２００の電源ＯＮ／ＯＦＦなどの操作を行うことができる。
【００６１】
領域２０８１は、近接無線通信を行うためのエリアである。すなわちこの部分に近接無線通信部２０８のアンテナが配置されている。デジタルカメラ１００の近接無線通信部１１１のアンテナがこのエリアに近接すると、近接無線通信部２０８と近接無線通信部１１１の間で通信が可能となる。
【００６２】
以上が携帯電話２００の説明である。
【００６３】
＜システムの概要＞
図３（ａ）、（ｂ）、（ｃ）、（ｄ）は、本実施形態に係る通信システムの概略構成を示す図である。
【００６４】
図３（ａ）において、携帯電話２００はアクセスポイント３０３に接続している。すなわち、携帯電話２００は、アクセスポイント３０３が生成しているネットワークに参加している。一方、デジタルカメラ１００はいずれのアクセスポイントにも接続していない。したがって、このネットワーク構成ではデジタルカメラ１００と携帯電話２００は無線ＬＡＮを利用してお互いに通信することができない。
【００６５】
図３（ｂ）において、デジタルカメラ１００はアクセスポイント３０１に接続している。一方、携帯電話２００は、アクセスポイント３０３に接続している。デジタルカメラ１００と携帯電話２００は、異なるアクセスポイントに接続しているため、このネットワーク構成では無線ＬＡＮを利用してお互いに通信することができない。
【００６６】
図３（ｃ）において、デジタルカメラ１００はアクセスポイント３０２に接続している。一方、携帯電話２００は、アクセスポイント３０３に接続している。デジタルカメラ１００と携帯電話２００は、異なるアクセスポイントに接続しているため、図３（ｂ）と同様にこのネットワーク構成では無線ＬＡＮを利用してお互いに通信することができない。
【００６７】
図３（ｄ）において、デジタルカメラ１００はアクセスポイント３０３に接続している。一方、携帯電話２００も、アクセスポイント３０３に接続している。つまり、デジタルカメラ１００と携帯電話２００は、同じアクセスポイントに接続している（すなわち同じネットワークに参加している）。そのため、このネットワーク構成では無線ＬＡＮを利用してデジタルカメラ１００と携帯電話２００とがお互いに通信可能である。
【００６８】
また、図３（ｅ）には、各無線ＬＡＮアクセスポイントが生成するネットワークのパラメータの一覧を示す。ＳＳＩＤ（Ｓｅｒｖｉｃｅ  Ｓｅｔ  Ｉｄｅｎｔｉｆｉｅｒ）の項目に示される情報は、各無線ＬＡＮアクセスポイントが生成するネットワークの識別情報である。また、セキュリティの項目に示される情報は、各無線ＬＡＮアクセスポイントが生成するネットワークで利用されるセキュリティ方式を示す。
【００６９】
また、本実施形態のデジタルカメラ１００は、過去に参加したネットワークの情報や過去に通信を確立した携帯電話の情報等を、接続履歴情報として保持している。
【００７０】
図４は、デジタルカメラ１００の不揮発性メモリ１０３に格納されている、接続履歴情報を模式的に表した図である。
【００７１】
項目のうち、ＳＳＩＤは接続したことのあるネットワークの識別情報である。セキュリティは、接続したことのあるネットワークで利用されたセキュリティ方式である。パスフレーズは、接続したことのあるネットワークで利用されたパスワードの文字列である。ペアリング情報は、接続したことのあるネットワークを介して通信を確立したことがある装置の識別情報である。本実施形態では、なお、本実施形態では、装置毎に一意に定められた識別情報であるＵＵＩＤ（Ｕｎｉｖｅｒｓａｌｌｙ  Ｕｎｉｑｕｅ  Ｉｄｅｎｔｉｆｉｅｒ）を、それぞれの装置自身が保持しているものとする。
【００７２】
履歴４０１は、ＳＳＩＤが「ＡＢＣＤ」である無線ＬＡＮアクセスポイントにデジタルカメラ１００が接続したことがあることを示している。また、この無線ＬＡＮアクセスポイントに接続した際に、ＵＵＩＤ｛６６６６６６６６−７７７７−８８８８−９９９９−ＡＡＡＡＡＡＡＡＡＡＡＡ｝を持つ機器と無線ＬＡＮ通信の確立（いわゆるペアリング）に成功したことを示している。
【００７３】
履歴４０２および履歴４０３は、それぞれＳＳＩＤが「ＥＦＧＨ」と「ＭＮＯＰ」の無線ＬＡＮアクセスポイントにデジタルカメラ１００が接続したことがあることを示している。また、ペアリング情報の項目はなし、となっており、これらの無線ＬＡＮアクセスポイントに接続した際には他の機器とのペアリングが行われなかったことを示している。
【００７４】
履歴４０４では、デジタルカメラ１００がＳＳＩＤ「ＶＷＸＹ」のアクセスポイント接続し、ＵＵＩＤ｛１１１１１１１１−２２２２−３３３３−４４４４−５５５５５５５５５５５５｝を持つ機器とペアリングに成功したことを示している。
【００７５】
履歴情報は、例えば、再度同じ携帯電話に接続する際に、デジタルカメラ１００における操作の一部を省くために利用される。すなわち、例えばこれらの履歴情報の一覧を、通信機能のメニューに表示し、ユーザが操作部を介して履歴を選択したことに応じて、選択された履歴に対応するアクセスポイントのネットワークを検索・参加の処理を実行する。その後、選択された履歴に対応する携帯電話を、ネットワーク内から検索し、通信を確立するための処理を実行する。これにより、例えばユーザがネットワークに参加するためのパラメータの入力操作を必要とすることなく、所望の機器との通信を確立することができる。なお、この場合は、履歴に対応する携帯電話が履歴に対応するネットワークに参加していることが前提となる。もし、履歴に対応する携帯電話が、履歴に対応するネットワークに参加していない場合には、そのままでは通信確立できない。
【００７６】
また、この履歴は、例えばＳＳＩＤが同じであっても、対応するペアリング情報のＵＵＩＤが異なる場合には、そのセットを別の履歴として保持する。
【００７７】
同様に、ペアリング情報に記録されるＵＵＩＤが同じ場合であっても、対応するＳＳＩＤが異なる場合は、別の履歴として保持する。
【００７８】
さて、上述のように、デジタルカメラ１００が携帯電話２００との通信を確立するためには、同じネットワークに参加する必要がある。そのため、履歴を利用する方法であれ、新規にネットワークに参加して通信相手を検索する方法であれ、いずれも通信相手が参加しているネットワークの情報を知り、そのネットワークに参加するための操作が必要である。
【００７９】
そこで、本実施形態では、ＮＦＣを用いて携帯電話２００の情報を受け取ったデジタルカメラ１００が、周囲のアクセスポイントが生成しているネットワークに順次参加して、自動的にネットワーク内の機器から携帯電話２００を探すようにした。これにより、ユーザは単にデジタルカメラ１００と携帯電話２００とを近づけるだけで、携帯電話２００が参加しているアクセスポイントの情報をデジタルカメラ１００に漏らすことなく、デジタルカメラ１００と携帯電話２００とが接続することができる。以下、これを実現するための、本実施形態におけるデジタルカメラ１００および携帯電話２００の動作について説明する。
【００８０】
＜動作説明：デジタルカメラ＞
図５は、本実施形態におけるデジタルカメラ１００が携帯電話２００とＮＦＣを介して通信することにより無線ＬＡＮを利用した通信を確立する際のデジタルカメラ１００の動作を示すフローチャートである。本フローチャートの処理は、不揮発性メモリ１０３に記録されているプログラムを制御部１０１が読み出し、メモリ１０２に展開・実行することで実現される。また、本フローチャートの処理は、例えばデジタルカメラ１００の電源がオンとなることに応じて開始される。
【００８１】
まず、ステップＳ５０１では、制御部１０１は、近接無線通信部１１１の状態を確認し、近接無線通信部１１１が携帯電話２００の近接無線通信部２０８と通信可能かどうかを判定する。具体的にはデジタルカメラ１００の近接無線通信エリア１１１１と携帯電話２００の近接無線通信エリア２０８１とが十分接近したときに近接無線通信部１１１は通信可能となる。制御部１０１が、通信不可能であると判定した場合は、本ステップの処理を繰り返し、携帯電話２００の近接無線通信エリア１１１１の近接を待つ。一方、制御部１０１が、通信可能であると判定した場合、処理はステップＳ５０２へ進む。
【００８２】
ステップＳ５０２では、制御部１０１は、近接無線通信部１１１を介して携帯電話２００の識別情報を共有する。具体的には、携帯電話２００から、近接無線通信を介して、携帯電話２００が保持しているＵＵＩＤを受信することにより、携帯電話２００とデジタルカメラ１００とが、携帯電話２００のＵＵＩＤを共有する。ここで、識別情報としてＵＵＩＤ｛ＢＢＢＢＢＢＢＢ−ＣＣＣＣ−ＤＤＤＤ−ＥＥＥＥ−ＦＦＦＦＦＦＦＦＦＦＦＦ｝を取得したとして以降の処理を説明する。
【００８３】
なお、ステップＳ５０２では、近接無線通信部１１１を介して携帯電話２００の識別情報を共有することができれば、どちらの近接無線通信部が主体となっても構わない。例えば、近接無線通信部１１１がＮＦＣリーダとなって近接無線通信部２０８からデータを読み取る形式、近接無線通信部２０８がＮＦＣライターとなってデータを近接無線通信部１１１に書き込む形式などが考えられる。また、近接無線通信部１１１と近接無線通信部２０８がＮＦＣ  Ｐ２Ｐモードで動作し、近接無線通信部２０８から識別情報を含むデータを近接無線通信部１１１に送信する形式でもよい。
【００８４】
ステップＳ５０３では、制御部１０１は、無線ＬＡＮ接続部１１２を介して周囲の無線ＬＡＮアクセスポイント情報を収集（いわゆるスキャン）する。具体的には、無線ＬＡＮアクセスポイントが定期的に発信しているビーコンを受信することで、そのビーコンを発信している無線ＬＡＮアクセスポイントが生成しているネットワークの情報を収集する。
【００８５】
図６はステップＳ５０３で収集した周囲の無線ＬＡＮアクセスポイントの情報の一例を模式的に表した図である。収集した情報には各無線ＬＡＮアクセスポイントのＳＳＩＤ・セキュリティ方式・信号強度などが含まれる。なお、情報６０１は無線ＬＡＮアクセスポイント３０１、情報６０２は無線ＬＡＮアクセスポイント３０２、情報６０３は無線ＬＡＮアクセスポイント３０３に対応している。
【００８６】
図５の説明に戻る。
【００８７】
ステップＳ５０４〜ステップＳ５１７は、接続可能な周囲の無線ＬＡＮアクセスポイントのうち、いずれかを選択して、選択された無線ＬＡＮアクセスポイントが生成しているネットワークに参加するための処理である。本実施形態のデジタルカメラ１００では、過去に携帯電話とペアリングした際に使用した無線ＬＡＮアクセスポイント・過去に接続経験のある無線ＬＡＮアクセスポイント・オープン無線ＬＡＮアクセスポイントの順に優先して選択する。
【００８８】
ステップＳ５０４では、制御部１０１は、ステップＳ５０３で取得した情報と、不揮発性メモリ１０３に格納されている履歴情報（図４の（ａ））から、接続可能な無線ＬＡＮアクセスポイントがあるか否かを判定する。具体的には、制御部１０１は、ステップＳ５０３で取得したＳＳＩＤと同一のＳＳＩＤを含む接続履歴があった場合に、接続可能な無線ＬＡＮアクセスポイントが周囲に存在すると判定する。また、ステップＳ６０３で取得した無線ＬＡＮアクセスポイント情報にセキュリティ無しの無線ＬＡＮアクセスポイント（オープンアクセスポイント）が含まれている場合も、接続可能な無線ＬＡＮアクセスポイントが周囲に存在すると判定する。
【００８９】
接続可能な無線ＬＡＮアクセスポイントが存在すると判定された場合は、処理はステップＳ５０５へ、存在しないと判定された場合はステップＳ５２３へ進む。
【００９０】
ステップＳ５０５〜ステップＳ５１６は、デジタルカメラ１００が携帯電話２００とペアリングをするために接続を試みる無線ＬＡＮアクセスポイントを選択するための処理である。
【００９１】
ステップＳ５０５〜ステップＳ５０８は、不揮発性メモリ１０３の接続履歴情報を用いて、過去に携帯電話とのペアリングが成功した際に利用した無線ＬＡＮアクセスポイントを選択するための処理である。
【００９２】
ステップＳ５０５では、制御部１０１は、図４（ａ）の接続履歴を参照し、ステップＳ５０２で取得した識別情報によって特定される携帯電話とのペアリングが成功した際に利用された無線ＬＡＮアクセスポイントが接続履歴に含まれるか否かを判定する。
【００９３】
具体的には、接続履歴の「ペアリング履歴」の欄に、ステップＳ５０２で取得した識別情報と同じ値が存在し、かつ、その値に対応するＳＳＩＤがステップＳ５０３で収集したアクセスポイント情報に含まれるか否かを判定する。ステップＳ５０２で取得した識別情報と同じ値が存在し、かつ、その値に対応するＳＳＩＤがステップＳ５０３で収集したアクセスポイント情報に含まれる場合、携帯電話とのペアリングが成功した際に利用した無線ＬＡＮアクセスポイントが存在すると判定する。
【００９４】
例えば、ステップＳ５０２で識別情報としてＵＵＩＤ｛１１１１１１１１−７７７７−８８８８−９９９９−ＡＡＡＡＡＡＡＡＡＡＡＡ｝を取得したとする。この場合、このＵＵＩＤは図４（ａ）のペアリング履歴の欄に含まれているが、対応するＳＳＩＤであるＶＷＸＹは、収集した図６のアクセスポイント情報に含まれていない。そのため、携帯電話とのペアリングが成功した際に利用した無線ＬＡＮアクセスポイントは周囲に存在しないと判定されることになる。一方、例えばステップＳ５０２で識別情報としてＵＵＩＤ｛６６６６６６６６−７７７７−８８８８−９９９９−ＡＡＡＡＡＡＡＡＡＡＡＡ｝を取得したとする。この場合、このＵＵＩＤは図４（ａ）のペアリング履歴に含まれており（履歴４０１）、かつ対応するＳＳＩＤ（ＡＢＣＤ）が、図６のアクセスポイント情報に含まれている（情報６０１）。そのため、携帯電話とのペアリングが成功した際に利用した無線ＬＡＮアクセスポイントが周囲に存在すると判定されることになる。また、ステップＳ５０２で識別情報としてＵＵＩＤ｛ＢＢＢＢＢＢＢＢ−ＣＣＣＣ−ＤＤＤＤ−ＥＥＥＥ−ＦＦＦＦＦＦＦＦＦＦＦＦ｝を取得したとする。この場合は、このＵＵＩＤは図４（ａ）のペアリング履歴の欄に含まれていない。そのため、携帯電話とのペアリングが成功した際に利用した無線ＬＡＮアクセスポイントは周囲に存在しないと判定されることになる。
【００９５】
ステップＳ５０５にて、制御部１０１が、携帯電話とのペアリングが成功した際に利用した無線ＬＡＮアクセスポイントが周囲に存在すると判定した場合はステップＳ５０６へ、存在しないと判定した場合はステップＳ５０９へ進む。
【００９６】
ステップＳ５０６では、制御部１０１は、周囲に存在する携帯電話とのペアリングが成功した際に利用した無線ＬＡＮアクセスポイントのうち、本フローチャートの処理でまだ接続を試みていない無線ＬＡＮアクセスポイントがあるか否かを判定する。
【００９７】
まだ接続を試みていない無線ＬＡＮアクセスポイントがある場合はステップＳ５０７へ、ない場合はステップＳ５０９へ進む。この処理は、同じ携帯電話を通信相手としようとしていても（つまりペアリング情報のＵＵＩＤが同じであっても）、ＳＳＩＤが異なれば別の履歴として保持するために必要となる。すなわち、同じ携帯電話であっても、自宅のアクセスポイントを介してペアリングした場合と、別なアクセスポイントを介してペアリングした場合とが存在する可能性があるからである。
【００９８】
ステップＳ５０７では、制御部１０１は、過去のペアリングが成功した際に利用したことがあり、かつ、本フローチャートの処理でまだ接続を試みていない無線ＬＡＮアクセスポイントのうち、いずれか一つを選択する。この際、ステップＳ５０２で更に、ＮＦＣの通信が確立した際に、携帯電話が接続しているアクセスポイントから携帯電話２００に送信されたビーコンの強度を携帯電話２００から受け取っておき、線ＬＡＮアクセスポイント選択する際の基準に利用してもよい。すなわち、ステップＳ５０３で情報を収集した際のアクセスポイントからの信号の強度が、ステップＳ５０２で受け取ったビーコン強度に近いアクセスポイントを優先して選択するようにしてもよい。なぜなら、ＮＦＣで通信するタイミングでは、デジタルカメラ１００と携帯電話２００とは、アクセスポイントからの距離が略一致しており、結果としてアクセスポイントから発信されるビーコンの強度が略一致する位置関係にある可能性が高いためである。
【００９９】
ステップＳ５０８では、制御部１０１は、ステップＳ５０７で選択した無線ＬＡＮアクセスポイントに接続するための通信パラメータ（ＳＳＩＤ、セキュリティ方式、パスフレーズ）を、接続履歴（図４の（ａ））を参照して決定する。その後、処理はステップＳ５１７に進む。ステップＳ５１７以降の処理については後述することとし、まずはステップＳ５０９以降の処理について説明する。
【０１００】
ステップＳ５０９〜Ｓ５１２は、過去にペアリングに成功した際に利用した無線ＬＡＮアクセスポイントが存在しない場合に、不揮発性メモリ１０３の接続履歴情報を用いて、過去に接続したことのある無線ＬＡＮアクセスポイントを選択するための処理である。
【０１０１】
ステップＳ５０９では、制御部１０１は、ステップ６０３で取得した接続可能な無線ＬＡＮアクセスポイントのうち、過去に接続したことのある無線ＬＡＮアクセスポイントがあるか否かを判定する。
【０１０２】
具体的には、ステップＳ５０３で収集した無線ＬＡＮアクセスポイント情報のうち、同じＳＳＩＤの無線ＬＡＮアクセスポイントに関する情報が、接続履歴に記録されている場合、過去に接続したことのある無線ＬＡＮアクセスポイントがあると判定する。
【０１０３】
例えば、図６の情報６０１と情報６０２に関しては、同じＳＳＩＤが図４（ａ）において履歴４０１と履歴４０２として存在するため、ステップＳ５０９では過去に接続したことのある無線ＬＡＮアクセスポイントがあると判定することになる。
【０１０４】
過去に接続したことのある無線ＬＡＮアクセスポイントがあると判定された場合はステップＳ５１０へ、ないと判定された場合はステップ５１３へ進む。
【０１０５】
ステップＳ５１０では、制御部１０１は、周囲に存在する過去に接続したことのある無線ＬＡＮアクセスポイントのうち、本フローチャートの処理でまだ接続を試みていない無線ＬＡＮアクセスポイントがあるか否かを判定する。
【０１０６】
まだ接続を試みていない無線ＬＡＮアクセスポイントがあると判定された場合はステップＳ６１１へ、ないと判定された場合はステップＳ６１３へ進む。
【０１０７】
ステップＳ６１１では、制御部１０１は、過去に接続したことがあり、かつ、本フローチャートの処理で接続を試みていない無線ＬＡＮアクセスポイントのうち、いずれか一つを選択する。この際にも、ステップＳ５０７と同様に、ビーコン強度と信号強度に基づく優先順位で選択するようにしてもよい。
【０１０８】
ステップＳ５１２では、制御部１０１は、ステップＳ５１１で選択した無線ＬＡＮアクセスポイントに接続するための通信パラメータ（ＳＳＩＤ、セキュリティ方式、パスフレーズ）を、接続履歴（図５の（ａ））を参照して決定する。その後、処理はステップＳ５１７に進む。ステップＳ５１７以降の処理については後述することとし、まずはステップＳ５１３以降の処理について説明する。
【０１０９】
ステップＳ５１３では、制御部１０１は、ステップＳ５０７で取得した接続可能な無線ＬＡＮアクセスポイントのうち、オープンな無線ＬＡＮアクセスポイントがあるか否かを判定する。
【０１１０】
具体的には、ステップＳ５０３で収集した無線ＬＡＮアクセスポイント情報のうち、セキュリティが「なし」のＳＳＩＤが存在する場合に、オープンな無線ＬＡＮアクセスポイントがあると判定する。
【０１１１】
例えば、ステップＳ５０３で収集した無線ＬＡＮアクセスポイント情報のうち、図６の情報６０２と情報６０３はセキュリティが「なし」のため、オープンな無線ＬＡＮアクセスポイントがあると判定することになる。
【０１１２】
接続可能なオープンな無線ＬＡＮアクセスポイントがあると判定された場合はステップＳ５１４へ、ないと判定された場合はステップ５２３へ進む。
【０１１３】
ステップＳ５１４では、制御部１０１は、周囲に存在する接続可能なオープンな無線ＬＡＮアクセスポイントのうち、本フローチャートの処理でまだ接続を試みていない無線ＬＡＮアクセスポイントがあるか否かを判定する。
【０１１４】
まだ接続を試みていない無線ＬＡＮアクセスポイントがあると判定された場合はステップＳ５１５へ、ないと判定された場合はステップＳ５２３へ進む。
【０１１５】
ステップＳ５１５では、制御部１０１は、接続を試みていない無線ＬＡＮアクセスポイント（接続可能なオープンな無線ＬＡＮアクセスポイント）のうち、いずれか一つを選択する。この際にも、ステップＳ５０７と同様に、ビーコン強度と信号強度に基づく優先順位で選択するようにしてもよい。
【０１１６】
ステップＳ５１６では、制御部１０１は、ステップＳ５１１で選択した無線ＬＡＮアクセスポイントに接続するための通信パラメータを決定する。選択した無線ＬＡＮアクセスポイントはオープンであるため、接続に必要な通信パラメータはＳＳＩＤのみとなる。その後、処理はステップＳ５１７に進む。
【０１１７】
ステップＳ５１７〜Ｓ５１９は、ステップＳ５０５〜Ｓ５１６の処理で選択された無線ＬＡＮアクセスポイントを介して、無線ＬＡＮ接続部１１２を用いて携帯電話２００と通信可能か否かを判定するための処理である。
【０１１８】
ステップＳ５１７では、制御部１０１は、ステップＳ５０８・Ｓ５１２・Ｓ５１６のいずれかで決定された通信パラメータを使用して、無線ＬＡＮアクセスポイントが生成しているネットワークに参加する。具体的には制御部１０１は、無線ＬＡＮアクセスポイントから定期的に発信されるビーコンを無線ＬＡＮ接続部１１２を介して受信し、これに対する応答および接続処理を経て、無線ＬＡＮアクセスポイントと接続することによりネットワークに参加する。あるいは、無線ＬＡＮアクセスポイントに対してプローブ信号を送信し、所定の接続シーケンスを経て無線ＬＡＮアクセスポイントに接続することにより、無線ＬＡＮアクセスポイントが生成しているネットワークに参加する。
【０１１９】
例えば、ステップＳ５１１で、ＳＳＩＤが「ＡＢＣＤ」の無線ＬＡＮアクセスポイント（図４（ａ）の履歴４０１）が選択された場合、デジタルカメラ１００は無線ＬＡＮアクセスポイント３０１と接続することになる（図３の（ｂ））。
【０１２０】
例えば、ステップＳ５１５において、ＳＳＩＤが「ＩＪＫＬ」の無線ＬＡＮアクセスポイント（図６の情報６０３）が選択された場合は、デジタルカメラ１００は無線ＬＡＮアクセスポイント３０３と接続することになる（図４の（ｄ））。
【０１２１】
ステップＳ５１８では、制御部１０１は、ステップＳ５０２で取得した識別情報を利用して、無線ＬＡＮ接続部１１２を用いて現在接続している無線ＬＡＮ上でその識別情報を持つ装置を探索（いわゆるディスカバリ）する。具体的には、識別情報がＵＵＩＤの場合は、制御部１０１は探索信号として、ＳＳＤＰのＭ−Ｓｅａｒｃｈコマンドを、参加中のネットワーク内の全ての機器に対して送信する。ネットワーク内の機器は、このＭ−Ｓｅａｒｃｈを受信し、かつ対応しているならば、これに対する応答信号をＭ−Ｓｅａｒｃｈの送信元（つまりデジタルカメラ１００）に対して送信する。この応答信号にはＵＵＩＤが含まれる。故に、この応答に、ステップＳ５０２で取得した識別情報（ＵＵＩＤ）と一致するＵＵＩＤが含まれているかどうかを参照すれば、現在参加中の無線ＬＡＮ内に、そのＵＵＩＤを持つ装置が存在するかどうかが判断できる。
【０１２２】
また、識別情報としてホスト名を使用する場合は、制御部１０１はｍＤＮＳプロトコルを用いそのホスト名を持つネットワーク上の通信装置を検索（名前解決リクエスト）する。名前解決リクエストに対して応答があれば、現在接続している無線ＬＡＮ上にそのホスト名を持つ通信装置が存在することがわかる。
【０１２３】
ステップＳ５１９では、制御部１０１は、ステップＳ５１８で行った探索に成功したか否かを判定する。ここでは、ステップＳ５０２で取得した識別情報と一致するＵＵＩＤが含まれる応答信号が受信できれば、探索に成功したと判定されることになる。探索に失敗したと判定された場合はステップ５２０へ進み、探索に成功したと判定された場合はステップＳ５２１に進む。
【０１２４】
ステップＳ５２０では、制御部１０１は、ステップＳ５１７で参加した無線ＬＡＮから離脱し、次の無線ＬＡＮアクセスポイントを選択するためにステップＳ５０５へ戻る。これは、ステップＳ５０２でＮＦＣを介して受信したＵＵＩＤにより特定される携帯電話が、他の無線ＬＡＮアクセスポイントのネットワークに参加しているであろうとの予測によるものである。すなわち、ステップＳ５０５〜ステップＳ５２０の処理を繰り返すことによって、デジタルカメラ１００は周囲のアクセスポイントが生成しているネットワークに順次参加し、参加したネットワーク内にある機器から、携帯電話２００を探索する。これにより、結果的に携帯電話２００との通信を確立することができる。
【０１２５】
一方、携帯電話２００の探索に成功して遷移したステップＳ５２１では、制御部１０１は、ステップＳ５１７で確立した無線ＬＡＮ接続を使用し、携帯電話２００に対してペアリングが成功した旨の通知を行う。例えば、予め定められたペアリング成功の旨を示すメッセージを、無線ＬＡＮ接続部１１２を用いて携帯電話２００に送信する。
【０１２６】
続くステップＳ５２２では、制御部１０１は、現在使用している無線ＬＡＮ接続のための通信パラメータ（ＳＳＩＤ、セキュリティ方式、パスフレーズ）とペアリング情報を、不揮発性メモリ１０３の接続履歴情報に追加する。また、制御部１０１は、表示部１０５にペアリングに成功した旨を示すメッセージを表示する。その後、本フローチャートを終了する。
【０１２７】
例えば、ステップＳ５１５で、ＳＳＩＤが「ＨＩＪＫ」の無線ＬＡＮアクセスポイント（図６の情報６０３）が選択された場合は、デジタルカメラ１００と携帯電話２００は供に無線ＬＡＮアクセスポイント３０１と接続することになる。つまり、ステップＳ５１９ではＹＥＳとなる。この場合は、図４（ａ）の接続履歴情報は図４（ｂ）のように更新される（履歴４０５を追加する）。
【０１２８】
一方、ステップＳ５２３は、デジタルカメラ１００が接続可能なすべての無線ＬＡＮアクセスポイントのネットワーク内を検索したにもかかわらず、携帯電話２００のＵＵＤＩを見つけられなかった場合の処理である。すなわち、携帯電話２００と通信可能な状態にできなかった場合（ペアリングに失敗）の処理である。
【０１２９】
ステップＳ５２３では、制御部１０１は、表示部１０５にペアリングに失敗した旨のエラー表示を行い、本フローチャートを終了する。
【０１３０】
以上が、本実施形態におけるデジタルカメラ１００の動作である。
【０１３１】
＜動作説明：携帯電話＞
続いて、上述のデジタルカメラ１００の動作に対応する携帯電話２００の動作について説明する。
【０１３２】
図７は、デジタルカメラ１００が携帯電話２００とＮＦＣを介して通信することにより無線ＬＡＮを利用した通信を確立する際の携帯電話２００の動作を示すフローチャートである。本フローチャートの処理は、不揮発性メモリ２０３に記録されているプログラムを制御部２０１が読み出し、メモリ２０２に展開・実行することで実現される。また、本フローチャートの処理は、例えば携帯電話２００の電源がオンとなることに応じて開始される。
【０１３３】
まず、ステップＳ７０１では、制御部２０１は、近接無線通信部２０８の状態を確認し、近接無線通信部２０８がデジタルカメラ１００の近接無線通信部１１１と通信可能かどうかを判断する。具体的にはデジタルカメラ１００の近接無線通信エリア１１１１と携帯電話２００の近接無線通信エリア２０８１とが十分接近したときに近接無線通信部２０８は通信可能となる。
【０１３４】
制御部２０１により、通信不可能であると判断された場合、本ステップの処理を繰り返し、デジタルカメラの近接を待つ。一方、通信可能であると判断された場合はステップＳ７０２へ進む。
【０１３５】
ステップＳ７０２では、制御部２０１は、近接無線通信部２０８を介して携帯電話２００の識別情報を、デジタルカメラ１００に送信する。ここでは、識別情報としてＵＵＩＤ｛ＢＢＢＢＢＢＢＢ−ＣＣＣＣ−ＤＤＤＤ−ＥＥＥＥ−ＦＦＦＦＦＦＦＦＦＦＦＦ｝を送信したとして以降の処理を説明する。
【０１３６】
なお、ステップＳ７０２で行われる近接無線通信は、デジタルカメラ１００の近接無線通信部１１１がＮＦＣリーダとなることで実現してもよいし、携帯電話２００の近接部線通信部２０８がＮＦＣライターとなることで実現してもよい。デジタルカメラ１００の近接無線通信部１１１がＮＦＣリーダとなる場合、制御部１０１が、近接無線通信部１１１を介して、携帯電話２００の近接部線通信部２０８から識別情報を含むデータを読み取る。近接無線通信部２０８がＮＦＣライターとなる場合、制御部２０１が、近接無線通信部２０８を介して、識別情報を含むデータを近接無線通信部１１１に書き込む。また、近接無線通信部１１１と近接無線通信部２０８がＮＦＣ  Ｐ２Ｐモードで動作し、近接無線通信部２０８から識別情報を含むデータを近接無線通信部１１１に送信する形式を採用してもよい。
【０１３７】
ステップＳ７０３では、制御部２０１は、無線ＬＡＮ接続部２０９で受信するデータを監視し、ネットワーク上の機器検出（いわゆるディスカバリ）が行われているか否かを判断する。具体的には、ＳＳＤＰのＭ−Ｓｅａｒｃｈコマンドを受信した場合や、ｍＤＮＳプロトコルの名前解決リクエストなどを受信した場合は、機器検出が行われていると判断する。
【０１３８】
ステップＳ７０３で、機器検出が行われていると判断した場合はステップＳ７０４へ、機器検出が行われていないと判断された場合はステップＳ７０５へ進む。
【０１３９】
ステップＳ７０４では、制御部２０１は、ステップＳ７０３で受信したデータを元に、機器検出に応答する必要があるか否かを判断する。
【０１４０】
具体的には、ステップＳ７０３で受信した機器検出データが、ＳＳＤＰプロトコルのＭ−Ｓｅａｒｃｈコマンドであった場合には応答が必要であると判断する。また、ｍＤＮＳプロトコルの名前解決リクエストであった場合は、その名前解決リクエストが携帯電話２００のホスト名に対する物であった場合に応答が必要であると判断する。
【０１４１】
ここで、応答する必要がないと判断した場合はステップＳ７０５へ進む。
【０１４２】
ステップＳ７０５では、制御部２０１は、ステップＳ７０２においてＮＦＣでデータ受信をしてからの経過時間が所定の時間（例：９０秒）経過したか否かを判断する。
【０１４３】
所定の時間を経過していると判断した場合はステップＳ７０１に戻り、次のデジタルカメラ１００の近接を待つ。一方、経過していないと判断した場合は、ステップＳ７０３に戻り、次の機器検出を待つ。
【０１４４】
一方、ステップＳ７０４で応答する必要があると判断した場合はステップＳ７０６へ進む。
【０１４５】
ステップＳ７０６では、制御部２０１は、Ｓ７０３で受信した機器検出に対して応答する。ここでは、例えばＳＳＤＰプロトコルのＭ−Ｓｅａｒｃｈコマンドに対しては、応答信号に自身の識別情報（ＵＵＩＤ｛ＢＢＢＢＢＢＢＢ−ＣＣＣＣ−ＤＤＤＤ−ＥＥＥＥ−ＦＦＦＦＦＦＦＦＦＦＦＦ｝）を含めて送信する。また、ステップＳ７０３で受信したデータが、ｍＤＮＳプロトコルの名前解決リクエストであった場合は、携帯電話２００のＩＰアドレスを含めて応答する。
【０１４６】
ステップＳ７０７では、制御部２０１は、無線ＬＡＮ接続部２０９を用いて、ペアリングが成功した旨の通知がデジタルカメラ１００から送られてくるのを待つ。
【０１４７】
ペアリング完了通知を受信した場合（ステップＳ７０７でＹＥＳ）はステップＳ７０８へ進み、受信しなかった場合（ステップＳ７０７でＮＯ）はステップＳ７０９へ進む。
【０１４８】
ステップＳ７０８では、制御部２０１は、表示部２０４にペアリングが成功した旨の表示を行い、その後ステップＳ７０１に戻ることにより次なるＮＦＣタッチを待つ。
【０１４９】
一方、ステップＳ７０９では、制御部２０１は、ステップＳ７０６で機器検出に応答してからの経過時間が所定の時間（例：９０秒）経過したか否かを判断する。所定の時間が経過していると判断した場合、処理はステップＳ８０１に戻り、次のデジタルカメラ１００の近接を待つ。経過していないと判断した場合、処理はステップＳ８０７に戻り、ペアリング受信通知を待つ。
【０１５０】
以上が、上述のデジタルカメラ１００の動作に対応する携帯電話２００の動作についての説明である。
【０１５１】
以上説明したように、本実施形態のデジタルカメラは、アクセスポイントのネットワークを順次切り替えて、ネットワーク内から携帯電話２００を探索する。これにより、アクセスポイントの情報を交換することなく、デジタルカメラと携帯電話との通信を確立することができる。このようにして無線ＬＡＮを介した通信が確立された後は、無線ＬＡＮを用いて、デジタルカメラで生成された画像データを携帯電話に送信したり、携帯電話で生成した画像データをデジタルカメラに送信したりすることができる。
【０１５２】
［第２の実施形態］
第１の実施形態では、デジタルカメラ１００が、周囲のアクセスポイントが生成するネットワークに参加し、携帯電話２００を検索するためのディスカバリを行う場合を例に挙げて説明した。これに対し、本実施形態では、デジタルカメラ１００が周囲のアクセスポイントが生成するネットワークに参加し、携帯電話２００からのディスカバリがないかを検知する場合について説明する。なお、本実施形態は第１の実施形態と共通する部分が多いため、本実施形態特有の部分を中心に説明する。
【０１５３】
＜動作説明：デジタルカメラ＞
図８は、本実施形態にけるデジタルカメラ１００が携帯電話２００とＮＦＣを介して通信することにより無線ＬＡＮを利用した通信を確立する際のデジタルカメラ１００の動作を示すフローチャートである。本フローチャートの処理は、不揮発性メモリ１０３に記録されているプログラムを制御部１０１が読み出し、メモリ１０２に展開・実行することで実現される。また、本フローチャートの処理は、例えばデジタルカメラ１００の電源がオンとなることに応じて開始される。
【０１５４】
まず、ステップＳ８０１では、無線ＬＡＮ接続部１１２を介して周囲の無線ＬＡＮアクセスポイント情報を収集（いわゆるスキャン）する。本ステップの処理は、図５のステップＳ５０３と同様である。すなわち、ここでは、図６のような情報が収集されることになる。
【０１５５】
続いて、ステップＳ８０２では、制御部１０１は、近接無線通信部１１１の状態を確認し、近接無線通信部１１１が携帯電話２００の近接無線通信部２０８と通信可能かどうかを判定する。本ステップの処理は、図５のステップＳ５０１と同様である。制御部１０１が、通信不可能であると判定した場合は、処理はステップＳ８０１に戻り、ステップＳ８０１とステップＳ８０２の処理を繰り返しながら、携帯電話２００の近接無線通信エリア２０８１の近接を待つ。一方、制御部１０１が、通信可能であると判定した場合、処理はステップＳ８０３へ進む。
【０１５６】
ステップＳ８０３では、制御部１０１は、近接無線通信部１１１を介して、自身の識別情報・無線ＬＡＮ接続後の検出期間・周囲の無線ＬＡＮアクセスポイント数を携帯電話２００に通知する。この結果、携帯電話２００では、これらの情報を用いてデジタルカメラ１００のディスカバリを行う。ただし、このディスカバリの信号は、携帯電話２００と同じネットワークに参加していなければ、デジタルカメラ１００が受け取ることはできない。そのため、移行の処理にてデジタルカメラ１００は、周囲のアクセスポイントが生成するネットワークに順次参加し、携帯電話２００からのディスカバリを受け取れるネットワークを探す。なお、ここでは、識別情報としてＵＵＩＤ｛２２２２２２２２−３３３３−４４４４−５５５５−６６６６６６６６６６６６｝、検出期間として１５秒、無線ＬＡＮアクセスポイント数として３を通知した場合を例に挙げて以降の処理を説明する。
【０１５７】
続くステップＳ８０４〜ステップＳ８１７では、図５のステップＳ５０４〜ステップＳ５１７と同様の処理が実行される。ただし、ステップＳ８０４、ステップＳ８１３およびステップＳ８１４でＮＯの場合には、ステップＳ８２５へ進む。
【０１５８】
ステップＳ８０７で、無線ＬＡＮ接続部１１２を用いて無線ＬＡＮアクセスポイントへの接続が完了すると、処理はステップＳ８１８に進む。
【０１５９】
ステップＳ８１８では、制御部１０１は、無線ＬＡＮ接続部１１２を介して受信するデータを監視し、デジタルカメラ１００に対するネットワーク上の機器検出（ディスカバリ）が行われているか否かを判定する。具体的には、ステップＳ８０３で携帯電話２００に通知したＵＵＩＤを指定したＳＳＤＰのＭ−Ｓｅａｒｃｈコマンドを受信した場合に、自身に対する機器検出が行われたと判定する。なお、ステップＳ８０３で携帯電話２００に通知する識別情報としてホスト名を用いた場合は、そのホスト名に対するｍＤＮＳプロトコルの名前解決リクエストを受信した場合に、自身に対する機器検出が行われたと判定するようにしてもよい。
【０１６０】
ステップＳ８１８にて、自身に対する機器検出が行われたと判定した場合はステップＳ８２１へ進み、検出が行われなかったと判定した場合はステップＳ８１９へ進む。
【０１６１】
ステップＳ８１９では、制御部１０１は、ステップＳ８１７で無線ＬＡＮアクセスポイントに接続してからの経過時間が、ステップＳ８０３で通知した検出時間を超えたか否かを判別する。検出時間を超過した場合はステップＳ８２０へ進み、超過していない場合はステップＳ８１８に戻り、再び自身に対する検出処理の有無を確認する。
【０１６２】
ステップＳ８２０では、制御部１０１は、ステップＳ８１７で確立した無線ＬＡＮ接続を切断し、次の無線ＬＡＮアクセスポイントを選択するためにステップＳ８０５へ戻る。
【０１６３】
一方、ステップＳ８２１では、制御部１０１は、ステップＳ８１９で受信した機器検出に応答する。ここでは、例えばＳＳＤＰプロトコルのＭ−Ｓｅａｒｃｈコマンドに対する応答信号に自身の識別情報（ＵＵＩＤ｛２２２２２２２２−３３３３−４４４４−５５５５−６６６６６６６６６６６６｝）を含めて送信する。また、ステップＳ８１９で受信したデータが、ｍＤＮＳプロトコルの名前解決リクエストであった場合は、自身のＩＰアドレスを含めて応答する。
【０１６４】
ステップＳ８２２では、制御部１０１は、無線ＬＡＮ接続部１１２を介して、携帯電話２００から送信されるペアリングが成功した旨の通知の受信を待つ。ペアリング完了通知を受信した場合はステップＳ８２３へ進み、受信しなかった場合はステップＳ８２４へ進む。
【０１６５】
ステップＳ８２３では、制御部１０１は、現在使用している無線ＬＡＮ接続のための通信パラメータ（ＳＳＩＤ、セキュリティ方式、パスフレーズ）とペアリング情報を、不揮発性メモリ１０３の接続履歴情報に追加する。また、制御部１０１は、表示部１０５にペアリングに成功した旨の表示を行い、本フローチャートを終了する。例えば、ステップＳ８１５において、ＳＳＩＤが「ＨＩＪＫ」の無線ＬＡＮアクセスポイント（図４の履歴４０５）を選択した場合は、図３（ｄ）のように、デジタルカメラ１００と携帯電話２００は共に無線ＬＡＮアクセスポイント３０３と接続することになる。
【０１６６】
一方、ステップＳ８２４では、制御部１０１は、ステップＳ８２１で機器検出に応答してからの経過時間が所定の時間（例：９０秒）経過したか否かを判定する。所定の時間が経過していないと判定した場合はステップＳ８２２に戻り、再度ペアリング受信通知を待つ。一方、所定の時間が経過したと判定した場合はステップＳ８２５へ進む。
【０１６７】
ステップＳ８２５は、デジタルカメラ１００が接続可能なすべての無線ＬＡＮアクセスポイントを試したにもかかわらず、携帯電話２００との通信を確立できなかった場合（ペアリングに失敗）の処理である。本ステップでは、制御部１０１は、表示部１０５にペアリングに失敗した旨のエラー表示を行い、本フローチャートを終了する。
【０１６８】
＜動作説明：携帯電話＞
続いて、上述のデジタルカメラ１００の動作に対応する、本実施形態の携帯電話２００の動作について説明する。
【０１６９】
図９は、携帯電話２００における、近接無線通信部２０８と無線ＬＡＮ接続部２０９に関わる処理を説明するためのフローチャートである。本フローチャートの処理は、不揮発性メモリ２０３に記録されているプログラムを制御部２０１が読み出し、メモリ２０２に展開・実行することで実現される。また、本フローチャートの処理は、例えば携帯電話２００の電源がオンとなることに応じて開始される。
【０１７０】
まず、ステップＳ９０１では、制御部２０１は、近接無線通信部２０８の状態を確認し、近接無線通信部２０８がデジタルカメラ１００の近接無線通信部１１１と通信可能かどうかを判断する。具体的にはデジタルカメラ１００の近接無線通信エリア１１１１と携帯電話２００の近接無線通信エリア２０８１とが十分接近したときに近接無線通信部２０８は通信可能となる。
【０１７１】
制御部２０１により、通信不可能であると判断された場合、本ステップの処理を繰り返し、デジタルカメラの近接を待つ。一方、通信可能であると判断された場合はステップＳ９０２へ進む。
【０１７２】
ステップＳ９０２では、制御部２０１は、近接無線通信部２０８を介してデジタルカメラ１００から識別情報・検出期間・周囲の無線ＬＡＮアクセスポイント数を受信する。これは、図８のステップＳ８０３でデジタルカメラ１００から送信される情報である。ここでは、識別情報としてＵＵＩＤ｛２２２２２２２２−３３３３−４４４４−５５５５−６６６６６６６６６６６６｝、検出期間として１５秒、無線ＬＡＮアクセスポイント数として３を受信したとして以降の処理を説明する。
【０１７３】
ステップＳ９０３では、制御部２０１は、ステップＳ９０２で取得した識別情報を利用して、無線ＬＡＮ接続部２０９を用いて現在接続している無線ＬＡＮ上に参加中の他の装置のなかから、その識別情報を持つ装置の検出（いわゆるディスカバリ）を試みる。具体的には、識別情報がＵＵＩＤの場合は、制御部２０１はＳＳＤＰのＭ−Ｓｅａｒｃｈコマンドを用いネットワーク上の通信装置を検索する。このコマンドに対する応答にはＵＵＩＤが含まれるので、ステップＳ９０３で取得した識別情報（ＵＵＩＤ）と一致するＵＵＩＤを含む応答があれば、現在接続している無線ＬＡＮ上にそのＵＵＩＤを持つ装置が存在することがわかる。
【０１７４】
なお、識別情報としてホスト名を使用する場合は、制御部２０１はｍＤＮＳプロトコルを用いそのホスト名を持つネットワーク上の装置を検索（名前解決リクエスト）するようにしてもよい。この場合、名前解決リクエストに対して応答があれば、現在接続している無線ＬＡＮ上にそのホスト名を持つ装置が存在することがわかる。
【０１７５】
続くステップＳ９０４では、制御部２０１は、ステップＳ９０３で実行した検出処理が成功したか否かを判定する。検出に失敗したと判定した場合にはステップＳ９０５へ、検出に成功したと判定した場合にはステップＳ９０８へ進む。
【０１７６】
ステップＳ９０５では、制御部２０１は、ステップＳ９０３の処理を開始してからの経過時間が、ステップＳ９０２で受信した検出期間で指定される時間を超過したか否かを判定する。超過していないと判定した場合、処理はステップＳ９０３に戻り、超過するか検出が成功するまで、機器の検出を繰り返す。一方、超過したと判定した場合はステップＳ９０６へ進む。
【０１７７】
ステップＳ９０６では、所定期間（ステップＳ９０２で取得した検出期間）の検出処理（すなわちステップＳ９０３〜Ｓ９０５のループ処理）の実行回数が、ステップＳ９０２で受信した周囲の無線ＬＡＮアクセスポイント数を越えたか否かを判定する。超えていないと判定した場合にはステップＳ９０３に戻り、検出を継続する。一方、超えたと判定した場合にはステップＳ９０７へ進む。なお、ステップＳ９０６では、実行回数の上限としてステップＳ９０２で受信した周囲の無線ＬＡＮアクセスポイント数を用いた。これについては、例えば、制御部２０１が無線ＬＡＮ接続部２０９を介して周囲の無線ＬＡＮアクセスポイント情報を収集（スキャン）し得られた無線ＬＡＮアクセスポイント数を上限としてもよい。
【０１７８】
ステップＳ９０７は、携帯電話２００が繰り返し検出処理を行ったにもかかわらず、デジタルカメラ１００との通信を確立できなかった場合（ペアリングに失敗）の処理である。本ステップでは、制御部２０１は表示部２０４に、ペアリングに失敗した旨のエラー表示を行い、本フローチャートを終了する。
【０１７９】
一方、ステップＳ９０８は、デジタルカメラ１００と携帯電話２００が無線ＬＡＮで通信可能な状態にできた場合（ペアリングが完了した場合）の処理である。ステップＳ９０８では、制御部２０１は、接続中の無線ＬＡＮを使用し、デジタルカメラ１００に対してペアリングが成功した旨の通知を行う。例えば、予め定められた、ペアリング成功の旨を示すメッセージを、無線ＬＡＮ接続部２０９を用いてデジタルカメラ１００に送信する。
【０１８０】
続くステップＳ９０９では、制御部２０１は、表示部２０４にペアリングに成功した旨の表示を行い、本フローチャートを終了する。
【０１８１】
以上説明したように、本実施形態のデジタルカメラは、アクセスポイントのネットワークを順次切り替えて、ネットワーク内から自機に対するディスカバリがあるかどうかを検知する。これにより、アクセスポイントの情報を交換することなく、デジタルカメラと携帯電話との通信を確立することができる。
【０１８２】
［その他の実施例］
上述の実施形態では、近接無線通信としてＮＦＣを用いる場合を例に挙げて説明した。しかし、近接無線通信はこれに限定されるものではない。近接無線通信としては、例えばＢｌｕｅｔｏｏｔｈ（登録商標）などの他の通信方式を採用してもよい。
【０１８３】
また、上述の実施形態に加えて、無線ＬＡＮを介して通信を確立している状態のデジタルカメラにおいては、その通信を優先するために、近接無線通信部１１１を無効に設定してもよい。
【０１８４】
本発明は、以下の処理を実行することによっても実現される。即ち上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
2015170922.tif 000003
【図２】
2015170922.tif 000004
【図３】
2015170922.tif 000005
【図４】
2015170922.tif 000006
【図５】
2015170922.tif 000007
【図６】
2015170922.tif 000008
【図７】
2015170922.tif 000009
【図８】
2015170922.tif 000010
【図９】
2015170922.tif 000011